(57)【要約】【課題】シャワーヘッドやその上流の外表面に付着した汚れや雑菌等を除去することができるシャワー装置を提供する。【解決手段】吐出口１１を有するシャワーヘッド１にカバー２を設けた。カバー２を前記吐出口１１からの湯水の吐出を妨げないよう吐出口１１を覆わない開状態と、前記吐出口１１から吐出される除菌用の高温の湯を受けてシャワーヘッド１からシャワー上流３側に外表面３１を伝うように流す閉状態とを切替え自在に形成した。【選択図】　　　　図１
2004024513.tif 000002
【特許請求の範囲】
【請求項１】
吐出口を有するシャワーヘッドにカバーを設け、該カバーを前記吐出口からの湯水の吐出を妨げないよう吐出口を覆わない開状態と、前記吐出口から吐出される除菌用の高温の湯を受けてシャワーヘッドからシャワー上流側に外表面を伝うように流す閉状態とを切替え自在に形成して成ることを特徴とするシャワー装置。
【請求項２】
操作部及び該操作部からの信号にて制御を行う制御部を有するシャワー装置であって、カバーを閉状態とすると共に高温の湯をシャワーヘッドの吐出口から一定時間吐出するための除菌スイッチを操作部に設けて成ることを特徴とする請求項１記載のシャワー装置。
【発明の詳細な説明】
【０００１】
【発明の属する技術分野】
本発明は、シャワー装置に関するものである。
【０００２】
【従来の技術】
従来より、湯水滴を噴出するシャワー装置が用いられている。これは、湯水滴をシャワーヘッドの吐出口より噴出するようにしたもので、これを人体に当てたりするものである。
【０００３】
ところで、このようなシャワー装置にあっては、シャワーヘッドやその上流側のシャワーホースに汚れや雑菌等が付着し易く、この付着した汚れや雑菌等を放置することは衛生上好ましくないものであった。
【０００４】
【発明が解決しようとする課題】
本発明は上記の点に鑑みてなされたものであり、その目的とするところは、シャワーヘッドやその上流の外表面に付着した汚れや雑菌等を除去することができるシャワー装置を提供することを課題とするものである。
【０００５】
【課題を解決するための手段】
上記課題を解決するために本発明に係るシャワー装置は、吐出口１１を有するシャワーヘッド１にカバー２を設け、該カバー２を前記吐出口１１からの湯水の吐出を妨げないよう吐出口１１を覆わない開状態と、前記吐出口１１から吐出される除菌用の高温の湯を受けてシャワーヘッド１からシャワー上流３側に外表面３１を伝うように流す閉状態とを切替え自在に形成して成ることを特徴とするものである。このような構成とすることで、カバー２を閉状態とすることでシャワーホース３ａの外表面３１を上流側に流して汚れの除去及び除菌を行うことができると共に、カバー２を開状態とすることで通常のシャワーを行うことができるものである。
【０００６】
また、操作部４及び該操作部４からの信号にて制御を行う制御部５を有するシャワー装置Ｓであって、カバー２を閉状態とすると共に高温の湯をシャワーヘッド１の吐出口１１から一定時間吐出するための除菌スイッチ４０を操作部４に設けることが好ましい。このような構成とすることで、例えば使用者がシャワー装置を使用して退室する際、除菌スイッチ４０をＯＮしておくだけで、除菌用の高温の湯を一定時間自動的にシャワーヘッド１からシャワーホース３ａの外表面３１を上流側に向けて流して汚れの除去及び除菌ができる。
【０００７】
【発明の実施の形態】
以下、本発明を添付図面に示す実施形態に基づいて説明する。
【０００８】
シャワー装置Ｓは、図１に示すように、給湯器６から供給される湯水の温度変更や湯水の吐出切替え等を制御するための制御部５と、この制御部５に指令信号を送る操作部４とを有すると共に、湯水を吐出するためのシャワーヘッド１及びカラン７３が設けられる。
【０００９】
制御部５は、図１に示すように、浴室天井裏７２等の浴室空間の近傍に配置される。また、浴室空間に隣接して給湯器６が設置され、この給湯器６からの湯や水道水等が配管（図示せず）によって浴室空間内に導入される。制御部５は、給湯器６と後述する操作部４及び切替弁（図示せず）と制御信号用の電線で接続される。
【００１０】
浴室空間にはカウンター７１が配設してあり、このカウンター７１の内部には、浴室空間内に湯水を導入する配管が接続される切替弁（図示せず）が設けてある。この切替弁からは、カラン用とシャワー用の分岐路（図示せず）がそれぞれ形成してあり、カラン用の分岐路の下流側端部のカラン吐出口７３がカウンター７１に設けられると共に、シャワー用の分岐路の下流側端部（図示せず）にシャワーホース３ａの上流側端部が接続される。なお、図１においては、シャワーホース３ａの途中から上流側については図示を省略してある。
【００１１】
また、カウンター７１には、浴室空間内の使用者が湯水の吐出状態を変更するための操作部４が設けてある。操作部４には、湯水の吐出を後述するシャワーヘッド１から行うためのシャワースイッチ４１，カラン吐出口７３から行うためのカランスイッチ４２，及び吐出を停止する停止スイッチ４３や、吐出量を切替える強／弱スイッチ４４、湯水の切替えを行う湯／水スイッチ４５、湯温を変更する温度調整スイッチ４６、湯温を表示する温度表示部４７、後述する除菌スイッチ４０が設けてある。この操作部４は使用者が各スイッチを入力すると制御部５に信号を送り、制御部５が切替弁（図示せず）等に制御信号を送って湯水の吐出状態等を変更するものである。
【００１２】
次に、シャワーヘッド１について説明する。シャワーヘッド１は、上述したように切替弁のシャワー用の分岐路に接続されるシャワーホース３ａの下流側端部に設けられる。シャワーヘッド１には吐出口１１が形成してあり、シャワーホース３ａを流れてきた湯水が滴状に噴出される。
【００１３】
ところでこのようなシャワーヘッド１は、浴室空間内の使用者が使用するうちにシャワーヘッド１やシャワーホース３ａに汚れや雑菌が付着するため、高温の湯で洗い流すことが好ましいものである。そこで、使用者が使用した後、シャワーヘッド１の吐出口１１からの除菌用の高温の湯をシャワーホース３ａに伝わらせるためのカバー２を設けてある。
【００１４】
カバー２は、シャワーヘッド１の吐出口１１からの湯水の吐出を妨げないように吐出口１１を覆わない開状態と、吐出口１１から吐出される除菌用の高温の湯を受けてシャワーヘッド１からシャワーホース３ａの外表面３１を伝って上流側に流す閉状態とを切替え自在に（開閉自在に）取付けてある。なお、図１に示す状態は閉状態である。本実施形態では、シャワーヘッド１を球状に形成すると共にその表面の一部に吐出口１１を設けてあり、カバー２は、吐出口１１の外側を覆うことが可能なように略球面状に形成してある。
【００１５】
図２に示すように、シャワーヘッド１に係合突起１２を突設すると共に、前記係合突起１２の対応する位置にカバー２に環状の突起２１ａを形成してあり、この突起２１ａ内に形成される係合孔２１ｂをシャワーヘッド１の前記係合突起１２に被嵌してカバー２を回動開閉自在にシャワーヘッド１に配設してある。また、シャワーヘッド１内には、防湿ロータリーソレノイド１３が内蔵してあり、その出力軸１２がカバー２の一つの係合孔２１ｂに係合突起１２の代わりに嵌入してある。これにより、防湿ロータリーソレノイド１３を駆動させることでカバー２が自動的に開閉可能となるものである。なお、図中の１４はソレノイドキャップを示す。
【００１６】
このようなカバー２は、使用者が通常のシャワーを使用する場合には、開状態として吐出口１１から吐出される湯水滴の吐出を妨げないものである。また、シャワーヘッド１及びシャワーホース３ａの汚れの除去や除菌を行う場合には、閉状態としてカバー２で吐出口１１を覆う状態とし、吐出口１１から吐出される除菌用の高温の湯を受けて上流側の端部においてカバー２とシャワーヘッド１との間に形成される隙間２０からシャワーホース３ａの外表面３１を伝って上流側に流し、シャワーホース３ａに付着した汚れや雑菌を除去するものである。
【００１７】
このようにすることで、カバー２を閉状態とすることでシャワーホース３ａの外表面３１を上流側に流して汚れの除去及び除菌を行うことができると共に、カバー２を開状態とすることで通常のシャワーを行うことができるものである。
【００１８】
また、本実施形態では、操作部４に除菌スイッチ４０を設けてあり、この除菌スイッチ４０をＯＮすることで、カバー２を閉状態とすると共に除菌用の高温の湯をシャワーヘッド１の吐出口１１から吐出されるように設定してある。これにより、例えば使用者がシャワー装置を使用して退室する際、除菌スイッチ４０をＯＮしておくだけで、除菌用の高温の湯（６０℃以上、好ましくは７５℃）を一定時間（例えば２分間）自動的にシャワーヘッド１からシャワーホース３ａの外表面３１を上流側に向けて流して汚れの除去及び除菌ができる。
【００１９】
【発明の効果】
上記のように本発明の請求項１記載の発明にあっては、吐出口を有するシャワーヘッドにカバーを設け、該カバーを前記吐出口からの湯水の吐出を妨げないよう吐出口を覆わない開状態と、前記吐出口から吐出される除菌用の高温の湯を受けてシャワーヘッドからシャワー上流側に外表面を伝うように流す閉状態とを切替え自在に形成したので、カバーを閉状態とすることでシャワーの上流側の外表面に除菌用の高温の湯を流して汚れの除去及び除菌を行うことができると共に、カバーを開状態とすることで通常のシャワーを行うことができるものである。
【００２０】
また請求項２記載の発明にあっては、上記請求項１記載の発明の効果に加えて、操作部及び該操作部からの信号にて制御を行う制御部を有するシャワー装置であって、カバーを閉状態とすると共に高温の湯をシャワーヘッドの吐出口から一定時間吐出するための除菌スイッチを操作部に設けたので、例えば使用者がシャワー装置を使用して退室する際、除菌スイッチをＯＮしておくだけで、除菌用の高温の湯を一定時間自動的にシャワーヘッドからシャワーホースの外表面を上流側に向けて流して汚れの除去及び除菌ができる。
【図面の簡単な説明】
【図１】本発明の一実施形態の概略構成図である。
【図２】同上の要部断面図である。
【符号の説明】
１　シャワーヘッド
１１　吐出口
２　カバー
３　シャワー上流
３１　外表面
【図１】
2004024513.tif 000003
【図２】
2004024513.tif 000004